【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
一表面がＮ極、他表面がＳ極にそれぞれ帯磁した複数の永久磁石板と、互いに平行な状態で一体化されている複数の板状ホルダーとを含み、板状ホルダー毎に複数の永久磁石板がそれぞれ保持されるとともに、各板状ホルダーに保持される各永久磁石板は隣の板状ホルダーに保持されている各永久磁石板と異なる磁極が互いに対向するように位置および向きが設定されており、隣り合う板状ホルダー間の間隙が水流路の方向に沿い、かつ対向する磁極間に形成される磁界の向きが水流路に対して直交するように配置されて成る磁化処理装置。
【請求項２】
各板状ホルダーは、各永久磁石板が嵌め込まれてＮ，Ｓの各磁極を表裏両面に臨ませる複数の貫通孔を有する支持枠体と、前記支持枠体の表裏両面に被せられて各貫通孔を塞ぐ一対の塞ぎ板とで構成されている請求項１に記載された磁化処理装置。
【請求項３】
各板状ホルダーは、表裏に貫通する軸通し孔が複数形成されており、隣り合う板状ホルダー間の各軸通し孔の位置には、それぞれ筒状のスペーサを配置して各板状ホルダーの軸通し孔を各スペーサの内孔を介して互いに連通させるとともに、連通する各板状ホルダーの軸通し孔に連結軸を一連に通して、各板状ホルダーを一体連結している請求項１または２に記載された磁化処理装置。
【請求項４】
水面に浮上させるための浮きを有し、下端部に吸込口、上端部のデフレクターの下方に吐出口がそれぞれ開口し、前記吸込口と吐出口との間の水流路に水を吸い上げる吸上装置と水に磁力を作用させる磁化処理装置とが組み込まれて成り、前記磁化処理装置は、一表面がＮ極、他表面がＳ極にそれぞれ帯磁した複数の永久磁石板と、互いに平行な状態で一体化されている複数の板状ホルダーとを含み、板状ホルダー毎に複数の永久磁石板がそれぞれ保持されるとともに、各板状ホルダーに保持される各永久磁石板は隣の板状ホルダーに保持されている各永久磁石板と異なる磁極が互いに対向するように位置および向きが設定されており、前記磁化処理装置は、隣り合う板状ホルダー間の間隙が前記水流路の方向に沿い、かつ対向する磁極間に形成される磁界の向きが前記水流路に対して直交するように配置されて成る浮上型曝気装置。
【手続補正２】
【補正対象書類名】明細書
【補正対象項目名】全文
【補正方法】変更
【補正の内容】
【発明の詳細な説明】
【発明の名称】磁化処理装置および浮上型曝気装置
【技術分野】
【０００１】
この発明は、水流路上に配置して水流路を流れる水に磁力を作用させて磁化処理する磁化処理装置と、その磁化処理装置を用いて構成される曝気装置とに関し、特にこの発明は、池、湖沼、堀などの閉じられた水域や水処理施設の曝気槽などに設置して前記水域内や曝気槽内に満たされた水の水質を改善したり保全したりする浮上型曝気装置に関する。
【背景技術】
【０００２】
従来、水処理施設に設置された曝気槽内で強制的に気液循環流を生じさせることにより曝気効率を高めることが行われており、特に、浮きにより水面に浮上させるように設置して曝気を行う浮上型曝気装置が提案されている。
【０００３】
この種の曝気装置は、浮きの下方へ突出する吸込管の下端に吸込口が開口し、浮きの上方に位置させたデフレクターの下方に吐出口が設けられたものである。前記吸込口と吐出口との間の水流路にはモータ駆動の羽根車が組み込まれており、羽根車が回転することにより前記吸込口より吸い込まれた水が水流路を経て前記吐出口より吐き出される（例えば、特許文献１参照）。
【０００４】
【特許文献１】実開平３−１２３５９９号公報
【０００５】
上記した構成の曝気装置は浮きによって水面に浮上しており、吸込口より吸い込まれた水が吐出口より水面へ吐き出されるとき、水面上に水が飛散し、水表面での気液接触および空気の巻き込みにより水中に酸素が取り込まれる。取り込まれた酸素は、水質の浄化を行う微生物に供給され、微生物による水の浄化作用によって水質が改善される。
【発明の開示】
【発明が解決しようとする課題】
【０００６】
しかし、上記した従来の浮上型曝気装置では、水中への酸素の取込み量が十分でないため、微生物に酸素を十分に供給できず、曝気による水の浄化機能に限界があった。また、従来の曝気装置には水面上や水中の浮遊物を凝集させて沈殿させる作用がなく、曝気槽内に満たされた水の透明度を高めるのが困難である。
【０００７】
この発明は、上記した問題に着目してなされたもので、水中への酸素の取込み量を増して曝気による水の浄化機能を向上させ、加えて、浮遊物を凝集させて沈殿させることにより、水質の改善を実現し、水の透明度を高めることができる浮上型曝気装置を提供することを目的とする。
また、この発明が他に目的とするところは、上記の浮上型曝気装置に用いることができる磁化処理装置を提供することにある。
【課題を解決するための手段】
【０００８】
この発明による磁化処理装置は、一表面がＮ極、他表面がＳ極にそれぞれ帯磁した複数の永久磁石板と、互いに平行な状態で一体化されている複数の板状ホルダーとを含み、板状ホルダー毎に複数の永久磁石板がそれぞれ保持されるとともに、各板状ホルダーに保持される各永久磁石板は隣の板状ホルダーに保持されている各永久磁石板と異なる磁極が互いに対向するように位置および向きが設定されたもので、隣り合う板状ホルダー間の間隙が前記水流路の方向に沿い、かつ対向する磁極間に形成される磁界の向きが前記水流路に対して直交するように配置されて成る。
【０００９】
上記した構成の磁化処理装置によると、水流路を流れる水に磁化処理装置の永久磁石板による磁力が作用し、しかも、各永久磁石板は互いに平行な複数の板状ホルダーにそれぞれ保持されるとともに、隣の板状ホルダーに保持された永久磁石板と異なる磁極が互いに対向するように位置および向きが設定されているので、各板状ホルダー間を流れる水に強い磁界が作用する。この磁界の作用を受けて水が活性化されると、水のクラスタが細分化される結果、水が周囲から酸素を奪う作用（還元作用）が強くなって酸素の取込み量が増す。
【００１０】
また、磁化処理装置は、隣り合う板状ホルダー間の各間隙が水流路の方向に沿い、かつ対向する磁極間に形成される磁界の向きが水流路に対して直交するように配置されているので、各間隙での水の流速が増すことと相俟って、板状ホルダー間の間隙を流れる水にフレミングの法則により微弱な電流が発生し、この電流の作用によって水面上や水中の浮遊物の電位が低下する。浮遊物の電位が低下すると、浮遊物間の反発力が小さくなり、浮遊物同士の凝集が促される結果、凝集した浮遊物が沈降して底に沈殿する。
【００１１】
この発明の好ましい実施態様においては、各板状ホルダーは、各永久磁石板が嵌め込まれてＮ，Ｓの各磁極を表裏両面に臨ませる複数の貫通孔を有する支持枠体と、前記支持枠体の表裏両面に被せられて各貫通孔を塞ぐ一対の塞ぎ板とで構成されている。この実施態様によると、板状ホルダーへの永久磁石板の組み付けや位置決めが容易であり、扱いにくい永久磁石板といえども効率良く組立ができる。
【００１２】
この発明の好ましい実施態様においては、各板状ホルダーに表裏に貫通する軸通し孔が複数形成されており、隣り合う板状ホルダー間の各軸通し孔の位置には、それぞれ筒状のスペーサを配置して各板状ホルダーの軸通し孔を各スペーサの内孔を介して互いに連通させるとともに、連通する各板状ホルダーの軸通し孔に連結軸を一連に通して、各板状ホルダーを一体連結している。この実施態様によると、各板状ホルダーを所定の間隔を設けて互いに平行な状態で容易に一体化できる。
【００１３】
この発明による浮上型曝気装置は、水面に浮上させるための浮きを有し、下端部に吸込口、上端部のデフレクターの下方に吐出口がそれぞれ開口し、前記吸込口と吐出口との間の水流路に水を吸い上げる吸上装置と水に磁力を作用させる磁化処理装置とが組み込まれて成るものである。
前記磁化処理装置は、一表面がＮ極、他表面がＳ極にそれぞれ帯磁した複数の永久磁石板と、互いに平行な状態で一体化されている複数の板状ホルダーとを含み、板状ホルダー毎に複数の永久磁石板がそれぞれ保持されるとともに、各板状ホルダーに保持される各永久磁石板は隣の板状ホルダーに保持される各永久磁石板と異なる磁極が互いに対向するように位置および向きが設定されている。
前記磁化処理装置は、隣り合う板状ホルダー間の間隙が前記水流路の方向に沿い、かつ対向する磁極間に形成される磁界の向きが前記水流路に対して直交するように配置されている。
【００１４】
この発明による浮上型曝気装置は、浮きの浮力で水面に浮上し、この浮上した状態で吸上装置を駆動すると、吸込口より吸い込まれた水が水流路を経て吐出口より吐き出される。吐き出された水は水面上に飛散し、水表面での気液接触および空気の巻き込みにより水中に酸素が取り込まれる。
【００１５】
それに加えて、前記水流路を流れる水に磁化処理装置の永久磁石板による磁力が作用し、しかも、各永久磁石板は互いに平行な複数の板状ホルダーにそれぞれ保持されるとともに、隣の板状ホルダーに保持された永久磁石板と異なる磁極が互いに対向するように位置および向きが設定されているので、各板状ホルダー間を流れる水に強い磁界が作用する。この磁界の作用を受けて水が活性化されると、水のクラスタが細分化される結果、水が周囲から酸素を奪う作用（還元作用）が強くなって酸素の取込み量が増し、これにより曝気による浄化機能が十分に発揮される。
【００１６】
また、磁化処理装置は、隣り合う板状ホルダー間の各間隙が水流路の方向に沿い、かつ対向する磁極間に形成される磁界の向きが水流路に対して直交するように配置されているので、各間隙での水の流速が増すことと相俟って、板状ホルダー間の間隙を流れる水にフレミングの法則により微弱な電流が発生し、この電流の作用によって水面上や水中の浮遊物の電位が低下する。浮遊物の電位が低下すると、浮遊物間の反発力が小さくなり、浮遊物同士の凝集が促される結果、凝集した浮遊物が沈降して底に沈殿する。このような物理作用と前記した生物作用とによって水質が改善され、水の透明度が高められる。
【発明の効果】
【００１７】
この発明によると、水流路を流れる水に磁化処理装置の永久磁石板による磁力を強力に作用させるから、水中への酸素の取込み量を増して曝気による水の浄化機能を向上でき、加えて、浮遊物を凝集させて沈殿させることができる。その結果、池、湖沼、堀などの閉じられた水域や水処理施設の曝気槽などに満たされた水の水質が改善され、水の透明度が高められる。
また、複数の永久磁石板を保持する複数の板状ホルダーを互いに平行な状態で一体化して磁化処理装置を構成するから、磁化処理装置の組込みや取外しが容易であり、保守、点検が容易に行える。
【発明を実施するための最良の形態】
【００１８】
図１は、この発明の一実施例である浮上型曝気装置１を池１０に設置した状態を示している。なお、この発明の曝気装置１は、池１０のような閉じられた自然の水域に限らず、水処理施設などの人工設備に設けられた曝気槽などに設置することができる。
この曝気装置１は、池１０に満たされた水の水質を改善しかつ保全するのに用いられ、第１、第２の浮き２ａ，２ｂによって水面ｗに浮上させ、かつ３本の係留ロープ１１によって定位置に拘束した状態で池１０の適所に設置される。
【００１９】
前記の各係留ロープ１１は、一端が曝気装置１に、他端が池端に固定された固定金具１３に、それぞれ取り付けられている。なお、図中、１５は各係留ロープ１１に装着されたリング形状のおもりであり、曝気装置１を上下動可能な状態で位置決め固定する。
陸上には操作盤１７が設置してあり、この操作盤１７より引き出されたケーブル１８が曝気装置１に接続されている。前記操作盤１７はケーブル１８を介して後述するモータ４１に電源を供給するもので、電源スイッチや各種のメータの他、モータ４１を適時または一定時間毎に駆動するための制御回路などを備えている。
【００２０】
図示例の曝気装置１は、図１および図２に示すように、第１、第２の浮き２ａ，２ｂの下方へ突出する金属製の吸込管３の下端に吸込口３０を、吸込管３の上端のデフレクター９の下方に吐出口３１を、それぞれ開口したものである。前記吸込管３は、中央管３ａの上端に上部管３ｂが、下端に下部管３ｃが、それぞれ接続されて成るもので、下部管３ｃの下端の開口を前記吸込口３０となし、上部管３ｂの上端の開口を前記吐出口３１となしている。
【００２１】
第１の浮き２ａは、前記上部管３ｂと一体形成されたケーシング２０の内部に発泡材２１を装填して形成されたものである。第２の浮き２ｂは、前記中央管３ａの外周に外付けされており、ケーシング２１を密閉して中空体となしたものである。
前記吸込管３の下端の吸込口３０には吸込ベル５が接続されている。この吸込ベル５は側面に水吸込用の窓５０を有し、下面の開口は密閉板５１で塞いである。
【００２２】
前記吸込管３の内部は、吸込口３０より流入した水を吐出口３１へ導く水流路３５になっており、この水流路３５上に水の吸上装置４が設けられている。図示例の吸上装置４はモータ４１により駆動される羽根車４０により構成されており、この羽根車４０の回転によって前記吸込口３０より水を吸い込み、かつ吸い込んだ水を前記吐出口３１より吐き出す。
前記モータ４１は、吸込管３の内部に設けられた支持板４２に複数のネジ４３により固定されている。前記支持板４２は、その外周縁が前記中央管３ａの上端のフランジ３３と上部管３ｂの下端のフランジ３４との間に挟持されている。この支持板４２の中心にはモータ４１のモータ軸４１ａを通す孔４４が、その孔４４の周囲に水を通す通水孔４５が、それぞれ開設されている。前記モータ軸４１ａに前記羽根車４０が取り付けてある。
【００２３】
前記吸込管３の内部の水流路３５上に、水流路３５を流れる水に磁力を作用させる磁化処理装置６が組み込まれている。
この磁化処理装置６は、図３に示すように、永久磁石板を保持するための複数の板状ホルダー７を複数本の連結軸６１により互いに平行な状態で一体化したものである。各板状ホルダー７には表裏に貫通する軸通し孔７３，７４（図４に示す）が複数形成されており、隣り合う板状ホルダー７，７間の各軸通し孔７３，７４の位置に、それぞれ筒状のスペーサ８を配置して各板状ホルダー７の軸通し孔７３，７４を各スペーサ８の内孔を介して互いに連通させるとともに、連通する各板状ホルダー７の軸通し孔７３，７４に連結軸６１を一連に通しかつ両端にナット６２，６２を装着して、各板状ホルダー７を一体連結している。
【００２４】
上記の磁化処理装置６は、下部管３ｃから中央管３ａの下部に至る内部空間に配置されるとともに、下部管３ｃの下端部の円形枠３２上に支持されている。前記円形枠３２は吸込口３０を取り囲んでおり、この吸込口３０より流入した水が各板状ホルダー７，７間の間隙を通り抜ける。なお、図３において、３６は中央管３ａの内部の四隅位置に設けられた固定軸であり、この４本の固定軸３６と前記円形枠３２との間で磁化処理装置６が吸込管３内に定置される。
【００２５】
図４は、前記磁化処理装置６を構成する板状ホルダー７の具体的な構成を示す。
図示例の板状ホルダー７は、所定個数（図示例では１０個）の永久磁石板６０を整列状態で保持するためのもので、中央の支持枠体７０を挟んでその両側面に塞ぎ板７１，７１を重ねて一体化したものである。前記支持枠体７０および両塞ぎ板７１，７１はステンレスのような錆びない透磁性材料で形成されている。なお、支持枠体７０と塞ぎ板７１，７１との一体化はボルトとナットを用いて行われるが、同図には、支持枠体７０および各塞ぎ板７１に形成されるボルト挿通孔の図示を省略してある。
【００２６】
前記永久磁石板６０は、外形が矩形の薄板状であり、一表面がＮ極、他表面がＳ極にそれぞれ帯磁させている。
前記板状ホルダー７の支持枠体７０は、前記永久磁石板６０が嵌め込まれる複数個の貫通孔７２が形成されている。この実施例では、永久磁石板６０の外形に一致する矩形状の貫通孔７２が５個づつ上下２段にそれぞれ設けてある。板状ホルダー７と永久磁石板６０とは厚みがほぼ一致させてあり、各貫通孔７２にＮ，Ｓの各磁極を表裏面に臨ませるようにして各永久磁石板６０が嵌め込まれる。
【００２７】
前記支持枠体７０の各貫通孔７２に永久磁石板６０がそれぞれ嵌め込まれた状態で、支持枠体７０の表裏両面に各貫通孔７２を塞ぐ一対の塞ぎ板７１が被着される。この実施例では各塞ぎ板７１と支持枠体７０との重ね合わせ部分にシリコーンなどの柔軟で防水性の高いコーキング剤を介在させており、これによりフェライト製の永久磁石板６０が水に濡れて錆びるのを防止している。
なお、図４において、７３，７４は前記連結軸６１を通す軸通し孔であり、支持枠体７０および各塞ぎ板７１の対応する位置にそれぞれ形成されている。
【００２８】
前記支持枠体７０の各貫通孔７２には、表裏各面にそれぞれＮ磁極とＳ磁極とが交互が並ぶように各永久磁石板６０が嵌め込まれる。例えば、いずれかの支持枠体７０の一方の面に、上段にはＮ，Ｓ，Ｎ，Ｓ，Ｎの順で磁極が並び、下段にはＳ，Ｎ，Ｓ，Ｎ，Ｓの順で磁極が並ぶように向きを定めて各貫通孔７２に各永久磁石板６０が嵌め込まれる。
また、各板状ホルダー７に保持された各永久磁石板６０は、隣の板状ホルダー７に保持された各永久磁石板６０と異なる磁極が互いに向き合うように向きが設定される。
【００２９】
図５は、各板状ホルダー７について、上段および下段の対応位置にある各永久磁石板６０の磁極を示したものであり、隣り合う板状ホルダー７，７間においては、永久磁石板６０，６０は異なる磁極が互いに対向している。
この磁化処理装置６は、隣り合う板状ホルダー７，７間の各間隙ｔが前記水流路３５の方向（図中、実線の矢印ｐで示す）に沿い、かつ対向する磁極間に形成される磁界の向き（図中、点線の矢印ｑで示す）が前記水流路３５に対して直交するように配置されている。
【００３０】
なお、上記の実施例では、各板状ホルダー７の支持枠体７０において、１個の貫通孔７２につき１枚の永久磁石板６０が嵌め込んであるが、これに限らず、１個の貫通孔７２に複数枚（例えば３枚）の永久磁石板をはめ込むなど、種々の設計変更が可能である。
また、各板状ホルダー７は、支持枠体７０を挟んでその両側面に塞ぎ板７１，７１を被せて貫通穴７１を塞ぐ構成になっているが、例えば、支持枠体７０に有底の穴を形成して永久磁石板６０を嵌め込み、その上に１枚の塞ぎ板７１を被せるような構成にしてもよい。
【００３１】
上記した構成の浮上型曝気装置１は、第１、第２の浮き３ａ，３ｂの浮力によって水面ｗに浮上し、３本の係留ロープ１１によって定位置に拘束される。
この浮上した状態でモータ４１を駆動して羽根車４０を回転させると、吸込ベル５の窓５０より水が吸い込まれ、その水は吸込口３０より吸込管３内へ流入し、吸込管３の内部の水流路３５を経て吐出口３１より吐き出される。吐き出された水はデフレクター９の下面に当たって水面ｗ上に飛散し、水表面での気液接触および空気の巻き込みにより水中に酸素が取り込まれる。
【００３２】
前記吸込管３内の水流路３５を流れる水には磁化処理装置６の永久磁石板６０による磁力が作用する。各永久磁石板６０は互いに平行な複数の板状ホルダー７にそれぞれ保持されるとともに、隣の板状ホルダー７に保持された永久磁石板６０と異なる磁極が互いに対向するように位置および向きが設定されているので、各板状ホルダー７，７間を流れる水に強い磁界が作用する。この磁界の作用を受けて水が活性化されると、水のクラスタが細分化される結果、水が周囲から酸素を奪う作用（還元作用）が強くなって酸素の取込み量が増し、無酸素状態に近い地底にも酸素が十分に供給され、これにより曝気による浄化機能が十分に発揮される。
【００３３】
また、磁化処理装置６は、隣り合う板状ホルダー７，７間の各間隙ｔが水流路３５の方向に沿い、かつ対向する磁極間に形成される磁界の向きが前記水流路３５に対して直交するように配置されているので、各間隙ｔでの水の流速が増すことと相俟って、板状ホルダー７，７間の間隙ｔを流れる水にフレミングの法則により微弱電流が発生し、この微弱電流の作用によって水面ｗ上や水中の浮遊物の電位が低下する。浮遊物の電位が低下すると、浮遊物間の反発力が小さくなり、浮遊物同士の凝集が促される結果、凝集した浮遊物が沈降して池底に沈殿する。このような物理作用と前記した生物作用とによって池１０の水の水質が改善され、アオコなどの発生が抑制されるとともに悪臭の発生が防止され、水の透明度が高められる。
【図面の簡単な説明】
【００３４】
【図１】この発明の一実施例である浮上型曝気装置の設置状態を示す正面図である。
【図２】図１の浮上型曝気装置の構成を示す一部を破断した正面図である。
【図３】磁化処理装置の構成を示す図２のＡ−Ａ線に沿う断面図である。
【図４】板状ホルダーの構成を示す分解斜視図である。
【図５】磁化処理装置における永久磁石板の配列を示す正面図である。
【符号の説明】
【００３５】
１    浮上型曝気装置
２ａ，２ｂ  浮き
３    吸込管
４    吸上装置
６    磁化処理装置
７    板状ホルダー
８    スペーサ
９    デフレクター
３０  吸込口
３１  吐出口
３５  水流路
４０  羽根車
４１  モータ
６０  永久磁石板
６１  連結軸
７０  支持枠体
７１  塞ぎ板
７３，７４  軸通し孔